(57)【要約】【課題】商品の展示面積を省スペースにし、且つ、サイズなど実物以上の展示演出を可能とし、展示商品に関する詳細情報を顧客自身が確認できる機能を有し、さらに、展示商品を展示場所で顧客自身が注文でき、その情報をもとにＰＯＳ装置で精算することのできる展示販売システムを提供する。【解決手段】展示販売システムは、商品情報展示端末１０１、カメラ１０２、投影器１０２、携帯端末２０１、商品を仮想展示するスクリーン５０１を持ち、スクリーン５０１上で、ビーム光８０１の指示場所および指示動作を、カメラ１０２により読取り、商品情報展示端末１０１により、認識解析し、それにより、商品の注文情報を登録し、ＰＯＳ装置４０１において、携帯端末２０１の認識番号を読取り、それにより、注文情報を読出し、精算を行う。【選択図】　　　図１
2004062467.tif 000002
【特許請求の範囲】
【請求項１】
物品をイメージまたは間接的表現で表示することにより展示陳列し、物品を販売する展示販売システムにおいて、表示されている部分の場所指示手段、イメージ入力手段、及び画像認識手段を持ち、前記場所指示手段により指示した特定の指示場所および指示動作を、前記イメージ入力手段により読取り、前記画像認識手段により認識解析することを特徴とする展示販売システム。
【請求項２】
前記場所指示手段として物理的指示手段を持つことを特徴とする請求項１記載の展示販売システム。
【請求項３】
前記場所指示手段として複数の物理的指示手段を持ち、前記複数の物理的指示手段にそれぞれ異なる認識情報を持たせたことを特徴とする請求項１記載の展示販売システム。
【請求項４】
前記場所指示手段として光学的指示手段を持つことを特徴とする請求項１記載の展示販売システム。
【請求項５】
前記場所指示手段として複数の光学的指示手段を持ち、前記複数の光学的指示手段にそれぞれ異なる認識情報を持たせ、前記複数光学的指示手段の認識情報に対応して、それぞれ異なる光ビーム画像、属性を形成せしめ、前記イメージ入力手段により前記光ビーム画像を読取ることを特徴とする請求項１記載の展示販売システム。
【請求項６】
前記場所指示手段に対する動作とそれに対応する演出内容の定義記憶手段、演出内容のコンテンツデータ記憶手段、画像投影手段、及び音声発生手段を持ち、前記画像認識手段の認識解析結果に応じて、前記定義記憶手段を参照し、それに対応する演出内容を前記コンテンツデータ記憶手段から読み出し、前記コンテンツデータを前記画像投影手段及び音声発生手段に出力することを特徴とする請求項１〜５のいずれかに記載の展示販売システム。
【請求項７】
展示されている前記場所指示手段に対応して反応する対象領域の座標を持ち、前記場所指示手段の指示動作内容を前記定義記憶手段に持つことを特徴とする請求項６記載の展示販売システム。
【請求項８】
前記場所指示手段に対する動作とそれに対応する演出内容定義記憶手段に、対応する物品情報を持ち、それに対応して、前記演出動作を起こさせた前記場所指示手段の認識情報に対応して、物品情報、価格及び員数の少なくとも１つを関連付けて記憶する注文情報記憶手段を持つことを特徴とする請求項７記載の展示販売システム。
【請求項９】
前記場所指示手段の認識情報の読取り手段を持ったＰＯＳ装置を持ち、前記ＰＯＳ装置で前記認識情報を読取り、前記認識情報に対応する前記注文情報記憶手段の物品情報、価格及び員数の少なくとも１つを読み出し、精算を行うことを特徴とする請求項８記載の展示販売システム。
【請求項１０】
請求項９記載の展示販売システムに用いられるＰＯＳ装置であって、前記場所指示手段の認識情報読取り手段を持ち、前記認識情報に対応する注文情報記憶手段を持ち、前記認識情報読取り手段で前記場所指示手段の認識情報を読取り、前記認識情報に対応する注文情報記憶手段の該当データを読み出し、それをもとに精算を行うことを特徴とするＰＯＳ装置。
【請求項１１】
請求項１〜９のいずれかに記載の展示販売システムに用いられるサーバー装置であって、イメージ入力手段、画像投影手段、音声出力手段との通信手段を持ち、画像投影、音声出力のためのコンテンツ情報を持ち、イメージデータの認識手段を持ち、また、場所指示手段にて指示された場所、動作に対応して、対応する処理を関係付けた定義記憶手段を持ち、送られてきた場所指示手段の位置、動作を前記認識手段で解析し、それに対応して、前記定義記憶手段を索引して、それに対応するデータを読み取り、画像投影手段と音声出力手段へコンテンツデータを送信することを特徴とするサーバー装置。
【発明の詳細な説明】
【０００１】
【発明の属する技術分野】
本発明は、物品として商品等の実品を置く代わりに、商品等のイメージ像または、商品を象徴するキャラクタ像、シンボル、名称などの間接的な表現により表示展示し、お客が展示された表示を見て、選択し注文する展示販売システムに関する。特に、本発明は、実物の商品を置くことなく、スクリーン上などに商品を仮想的に展示し、商品選択を可能とし、ＰＯＳ（Ｐｏｉｎｔ　ｏｆ　Ｓａｌｅｓ）端末を介して商品を販売するシステムに関する。さらに、本発明は、一般の店舗システムに加え、絵画、骨董品などを展示する特別な催事場、博物館、美術館などの展示とそれと連動した販売コーナーなども含むシステムである。
【０００２】
【従来の技術】
従来、商品の展示及び販売を行う店舗、特に冷蔵庫、洗濯機、エアコンなど比較的大きなものを展示する場合、多くの商品を展示するために広い展示スペースが必要であった。また、店舗側から見ても、展示のためのみに商品を準備することは固定費増加の要因となっていた。そのため、インターネットを経由して、ホームページ上に商品を展示するなどの方法が取られているが、画面サイズが小さく、表現も限られるため、臨場感が湧かないなどの難点があり、即、商品の持帰りができず、配達されてくるまで待つ必要があった。
また、特に、大型商品の場合、直接、ＰＯＳ装置のある売場カウンタに持っていくことも出来ないため、バーコードを印刷した買い上げカードなどを売場カウンタに持っていき精算を行っているが、そこで在庫の確認を行うため、お客が望む商品が希望の日に届けられないということがあり、再度、違う商品を見に行かなければならなくなるなどサービスの低下を招いてしまっていた。
【０００３】
【発明が解決しようとする課題】
本発明は、下記課題を解決することを目的とする。
（１）商品の展示面積を省スペースにし、且つ、サイズなど実物以上の展示演出を可能とする展示販売システムを提供する。
（２）展示商品に関する詳細情報を顧客自身が確認できる機能を有する展示販売システム提供する。
（３）展示商品の商品情報を展示場所で顧客自身が直接注文できるようにし、ＰＯＳ装置ではその登録された情報を読み出し、ＰＯＳ装置で精算できる機能を提供し、精算時間の短縮、さらに店員による接客工数低減を可能とする。
【０００４】
【課題を解決するための手段】
仮想展示システムとして、２００１年１２月の日本ソフトウェア学会（ＷＩＳＳ２００１　ページ１１３〜１１８に掲載）の「Ａｉｒ−Ｒｅａｌ：ホームネットワークのユーザーインタフェース」には、光レーザポイントにより、家電品操作を可能とするため、光レーザポイントによる指示動作の認識技術が開示されている。さらに、別の技術として、特開平１１−３４５０８７号公報には、「プレゼンテーションシステム」において、指や棒による指示具を用いた場合の認識手段が開示されている。
本発明は、前記課題を解決するために、これらの技術のもとで、下記手段を持つ。
【０００５】
（１）特定場所指示手段、イメージ入力手段、画像認識手段を持ち、表示されたスクリーン上などの特定の指示場所および指示動作を、前記イメージ入力手段により読取り、前記画像認識手段により、認識解析する。
【０００６】
（２）場所指示手段として、指示棒のような物理的指示手段を持ち、イメージ入力手段、画像認識手段を持ち、前記物理的指示手段により、表示されたスクリーン上などの指示された場所および指示動作を、前記イメージ入力手段により読取り、前記画像認識手段により、認識解析する。
【０００７】
（３）場所指示手段として、複数の指示棒のような物理的指示手段を持ち、前記複数の物理的指示手段に例えば、先端を色分けをするか、先端形状を変えるなど、それぞれ異なる認識情報を持たせ、イメージ入力手段、画像認識手段を持ち、前記複数の物理的指示手段により、表示されたスクリーン上などの指示された場所および指示動作を、前記イメージ入力手段により読取り、前記画像認識手段により、認識解析する。
【０００８】
（４）場所指示手段として、光レーザポイントなどを利用した光学的指示手段を持ち、イメージ入力手段、画像認識手段を持ち、前記光学的指示手段により、指示された光ビームの表示されたスクリーン上の場所および指示動作を、前記イメージ入力手段により読取り、前記画像認識手段により、認識解析する。
【０００９】
（５）場所指示手段として、複数の光ビームによる光学的指示手段を持ち、前記複数光学的指示手段に、光ビームの色、絵文字、二次元コード、画像などの属性を変えることにより、それぞれ異なる認識情報を持たせ、本認識情報の読取り手段を具備する。
【００１０】
（６）光ビームや物理的な指示棒など、光のオンオフ、指示棒による場所指示手段の指示動作とそれに対応して、どういうコンテンツデータを表示し、音声を流すか、注文などの選択操作など、演出内容を定義した定義記憶手段を持ち、演出内容のコンテンツデータ記憶手段、画像投影手段、音声発生手段を持ち、前記画像認識手段の認識解析結果に応じて、前記定義記憶手段を参照し、それに対応する演出内容を前記コンテンツデータ記憶手段から読み出し、本コンテンツデータを前記画像投影手段、音声発生手段に出力する。
【００１１】
（７）展示されている場所指示手段に対応して反応する対象領域の座標を持ち、また、場所指示手段の指示動作（アクション）内容を前記定義記憶手段に持ち、本定義された座標と指示動作（アクション）に対応して、演出内容のコンテンツデータ記憶手段を持ち、前記画像認識手段の認識解析結果に応じて、前記定義記憶手段を参照し、それに対応する演出内容を前記コンテンツデータ記憶手段から読み出し、本コンテンツデータを前記画像投影手段、音声発生手段に出力する。
【００１２】
（８）場所指示手段の動作とそれに対応する演出内容定義記憶手段に、対応する物品情報を持ち、それに対応して、前記演出動作を起きせしめた前記場所指示手段の認識情報に対応して、物品情報、価格、員数などを関連付けて記憶する注文情報記憶手段を持つ。
【００１３】
（９）展示販売システムにおいて、場所指示手段の認識情報の読取り手段を持ったＰＯＳ装置を持ち、前記ＰＯＳ装置で前記認識情報を読取り、本認識情報に対応する前記注文情報記憶手段の物品情報、価格、員数などを読み出し、精算を行う。
【００１４】
（１０）展示販売システムにおいて展示販売された物品の販売登録するＰＯＳ装置において、場所指示手段の認識情報読取り手段を持ち、本認識情報に対応する注文情報記憶手段を持ち、認識情報読取り手段で場所指示手段の認識情報を読取り、本認識情報に対応する注文情報記憶手段の該当データを読み出し、それをもとに精算を行う。
【００１５】
（１１）展示販売システムのサーバー装置において、イメージ入力手段、画像投影手段、音声出力手段との通信手段を持ち、画像投影、音声出力のためのコンテンツ情報を持ち、イメージデータの認識手段を持ち、また、場所指示手段にて指示された場所、指示動作に対応して、対応する処理を関係付けた定義記憶手段を持ち、送られてきた場所指示手段の位置、動作を前記認識手段で解析し、それに対応して、前記定義記憶手段を索引して、それに対応して、画像投影手段と音声出力手段へコンテンツデータを送信することにより、演出される。
【００１６】
【発明の実施の形態】
図１は、本発明に係る展示販売システムの一実施例を示す図である。
この展示販売システムは、各売場に設置された商品情報展示端末１０１と、携帯端末２０１とサーバー装置３０１とＰＯＳ装置４０１から構成されており、商品情報展示端末１０１とサーバー装置３０１とＰＯＳ装置４０１は、ＬＡＮ等の通信回線で接続されている。
【００１７】
商品情報展示端末１０１には、携帯端末２０１から出力されるビーム光８０１を認識するカメラ１０２とスクリーン５０１に商品画像情報を映し出す投影器１０３が接続されている。
【００１８】
携帯端末２０１は、スクリーン５０１に映し出された商品を指示するため、ビーム光８０１を出力するための光指示装置などを具備している。サーバー装置３０１には、商品の画像情報や在庫情報が記憶されている商品マスタ３１０と携帯端末２０１からの商品購入情報を記憶する注文データベース３２０が格納されている。
【００１９】
ＰＯＳ装置４０１は、顧客が注文する商品を精算する端末であって、携帯端末２０１の認識情報をキーボード入力もしくは、バーコード読取部で読み取り、前記サーバー装置３０１の注文データベース３２０から該当する携帯端末２０１で注文した商品の情報の読み出しを行い、精算処理を行うものである。
【００２０】
ここで、携帯端末２０１は、一般に、買い物客毎に持たせるため、複数存在しており、それぞれ異なる認識情報を持ち、店の入り口で、買い物客が預かり、スクリーン５０１に展示された携帯端末２０１より発生せられた光ビーム８０１により、ここで商品を選択して、注文などのアクション操作を起こす。携帯端末２０１の認識情報に応じて、光ビーム形状を変形させ、どの携帯端末２０１が、どの場所を選択したか、商品情報展示端末１０１にて、画像認識させるものである。
【００２１】
図２は、携帯端末２０１の一例を示す外観図である。２０３は、ビーム光８０１を発するビームライト、２０４は、制御ボタンであり、このオンオフにより、ビーム光８０１の光のオンオフ、形などを変えることができる。オンオフ方法として、マウスのクリック操作のようにすることも可能である。また、オンオフの２通りだけでなく、半押し、押す間隔などの組合せで複数のバリエーションを与えられる。２１０は、携帯端末２０１を認識するための固有の認識番号をバーコード化したバーコードラベルである。バーコードラベル２１０は、携帯端末２０１に貼付されている。
【００２２】
図３は、商品情報展示端末１０１の一例を示す構成図であり、情報処理部１１１、イメージ入力部１１２、イメージ出力部１１３、メモリ１１４、通信部１１５から構成されている。特に、情報処理部１１１、メモリ１１４は、全体の制御処理の中核をなす部分である。まず、初期表示、リアルタイムの表示として、サーバー装置３０１の商品マスタ３１０にある商品コンテンツ情報を通信部１１５経由して受信し、本情報の出力をイメージ出力部１１３に指示し、投影器１０３を介し、スクリーン５０１に出力する。また、前述した、携帯端末２０１から出力されたビーム光８０１の指示位置をイメージ入力部１１２に接続したカメラ１０２で読み込み、読み込まれたイメージ情報は、スクリーン上のビーム光８０１の指示座標を付加して、ＬＡＮなどの通信部１１５を経由して、サーバー装置３０１へ転送される。ここで、指示座標を付加せず、スクリーン上の画面全体を画像認識する方法でも可能である。
【００２３】
図４は、携帯端末２０１の一例を示す構成図であり、情報処理部２０５、メモリ２０６は全体制御処理の中核をなしている。メモリ２０６には、携帯端末２０１を認識するための認識番号があらかじめ格納されており、バッテリバックアップ、メモリの一部をリードオンリーメモリ方式にするなどで保持されている。２０４は、ビーム光８０１のオンオフを指示する制御ボタンである。２０３は、ビーム光８０１を発するビームライトを示している。２０２は、制御ボタン２０４の動作に合わせてメモリ２０６上に作成されたビーム画像を読み出して、ビームライト２０３に対して、駆動する光指示装置を示している。制御ボタン２０４をオンオフすると、メモリ２０６より、本認識情報を読み出し、制御ボタン２０４のオンオフ、オンオフ間隔などの動作との組合せに応じて、ビーム光８０１の形を変えることができるようになっている。
【００２４】
図５は、ＰＯＳ装置４０１の一例を示す構成図である。情報処理部４０２、オペレータや客用の表示部４０３、レシート用紙出力部４０４、レシート用紙４０５、メモリ４０７、オペレータ用のキーボード４０８、ＬＡＮ回線を制御する通信部４０９がＰＯＳ装置４０１の基本構成となっている。さらに、本ＰＯＳ装置４０１の特徴として、携帯端末２０１に割り振られている認識番号として、認識用のバーコードラベル２１０を読取るバーコード読取部４０６を持つ。読取った認識番号に対応する注文商品情報をサーバー３０１の注文データベース３２０から通信部４０９を経由して読取ることが可能である。
【００２５】
図６は、本実施形態の商品マスタ３１０の構成例を示す図である。商品管理用の商品コード３１１、商品の価格３１２、商品の外観を示す正面画像３１３、同じく側面画像３１４、同じく背面画像３１５、商品の仕様３１６、商品の在庫情報３１７などの各フィールドから構成されている。
【００２６】
図７は、注文データベース３２０の構成例を示す図であり、携帯端末認識番号３２１とそれに連係して、光指示装置２０３で指示した商品の注文商品情報（商品コード、員数、価格など）３２２などのフィールドから構成されている。本レコードはイベントの発生順に時系列的に書き込みが行われる。本注文商品情報３２２は、ＰＯＳ装置４０１で該当する携帯端末認識番号３２１分のレコードが読取られ、精算が終わるとクリアされるか、精算済みの情報が書き込まれる。
【００２７】
図８は、商品情報展示端末の処理フローの一例を示す図である。本図のフローチャートに従って商品情報展示端末１０の動作を説明する。まず、初期表示として、サーバー装置３０１にある商品マスタ３１０からあらかじめ設定された初期表示用商品コードをメモリ１１４にセットし（Ｓ１００）、商品コードに対応する商品の正面画像３１３を読み込み（Ｓ１０１）、投影器１０３からスクリーン５０１に表示する（Ｓ１０２）。表示される画像は、図９に示すように商品の全体または正面を表示する商品表示エリア６０１、側面ボタン６０２、背面ボタン６０３、仕様ボタン６０４、注文ボタン６０５、その他の商品ボタン６０６が配置された形で表示される。光指示装置２０２により、スクリーン５０１上に指示されたビーム光８０１の位置をカメラ１０２でリアルタイムで監視する状態となる（Ｓ１０３）。次にそれぞれのボタン上にビーム光８０１を当て、制御ボタン２０４でビーム光８０１をオンオフ他のアクションを施すことにより、該当する動作が選択されたと見なして、それぞれに対応するイベントを発生させる（Ｓ１０４）。ここで、イベント発生のきっかけとして、マウスのクリック操作と同様に、ビーム光８０１を単純にオンオフする以外、オンオフ間隔、簡単な移動アクションなどの組合せでもよく、また、同じ場所に一定時間以上当てておくことでもいい。
【００２８】
上記操作で、図９の側面ボタン６０２を選択すると、商品の側面画像イベント（Ｓ１０６）が発生する。それにより、本イベントを受けて、商品情報展示端末１０１は、サーバー装置３０１にある商品マスタ３１０から該当商品コードの側面画像３１４を読み込み（Ｓ１１０）、投影器１０３からスクリーン５０１に表示する（Ｓ１１４）。ここで、再度、ビーム光８０１の位置を認識し（Ｓ１０３）、次のイベント発生を待つ状態に入る。
【００２９】
背面ボタン６０３を選択した場合も、仕様ボタン６０４を選択した場合も、側面ボタン６０２を選択した場合と同様の処理がなされる。この時、商品マスタ３１０からは、背面画像３１５、仕様データ３１６を読み込むことになる。
【００３０】
次に、注文ボタン６０５を選択した場合、商品注文イベント（Ｓ１０９）が発生し、サーバー装置３０１にある商品マスタ３１０から対応する商品コード３１１の在庫３１７、画像データを読み込み（Ｓ１１３）、投影器１０３からスクリーン５０１に該当商品の画像、在庫数を図１０に示すような形で表示する（Ｓ１１７）。この画像には、商品の注文を確定する注文決定ボタン７０２と商品の注文を取りやめるキャンセルボタン７０３を配置しており、注文決定ボタン７０２かキャンセルボタン７０３かのいずれかが選択されるのをカメラ１０２で監視する。ここで、スクリーン５０１上のボタンを選択する際、制御ボタン２０４を押す（Ｓ１１８）ことになるが、このとき、ビーム光８０１の形状を変化させ、どの携帯端末２０１から選択されたかが認識できるようになっている。本形状の変化は、前記の選択操作でも行われているが、特別認識する理由がないため無視している。注文決定ボタン７０２が選択された（Ｓ１１８）時、既にメモリ１１４に格納している端末の認識番号と該当の商品コードをサーバー３０１の注文データベース３２０の携帯端末認識番号フィールド３２１と注文商品情報フィールド３２２にそれぞれ格納し（Ｓ１１９）、次の商品情報表示処理を行う。
【００３１】
注文商品情報は、ＰＯＳ装置４０１で精算時、買い物客が持っている携帯端末認識番号３２１フィールドで索引し、該当するレコード全てを読み出し、対応する注文商品情報３２２フィールドを読み出して、精算するために使用される。次に、キャンセルボタン７０３が選択された（Ｓ１１８）ときは、注文データベース３２０に格納することなく、次の商品表示処理を行う。ここで、在庫が無い場合は、その旨の表示がなされる。
【００３２】
他の商品ボタン６０６を選択した場合、他の商品表示イベント（Ｓ１０５）が発生し、他のイベントと同様に、選択された商品ボタン６０６にリンクされている対象商品コードをメモリ１１４にセットし、他の商品表示処理を行う。前記、リンクの方法としては、画面そのものを直接画像認識する方法とコンテンツデータの該当ボタン毎に別のファイルを持たせ、リンクするなどが可能である。
【００３３】
図１１は、携帯端末処理フローの一例を示す図である。本図は携帯端末２０１における基本処理を示しており、まず、買い物客が入店時に携帯端末２０１を預り、前記商品情報が表示されているスクリーン５０１に向かって携帯端末２０１の制御ボタン２０４を押すと（Ｓ３０１）、携帯端末２０１にユニークに割り振られている認識情報をメモリ２０６から読み出し（Ｓ３０２）、認識情報に応じて、光ビーム形状を変える処理を行い（Ｓ３０３）、光指示装置２０２、ビームライト２０３を通じて、ビーム光８０１を出力する（Ｓ３０４）。
【００３４】
以上のように商品情報展示端末１０１でスクリーン５０１に表示された商品の注文アクションを行った後、顧客は、商品の購入のための精算を行うため、携帯端末２０１をレジカウンタへ持っていく。
図１２は、ＰＯＳ装置処理フローの一例を示す図である。本図はレジカウンタでのＰＯＳ装置４０１での精算処理フローを示している。
店員は、顧客から受け取った携帯端末２０１の認識情報をＰＯＳ装置４０１のバーコード読取部４０６から入力する（Ｓ２０１）。この携帯端末２０１毎にユニーク割り付けられている認識情報は、携帯端末２０１のメモリ２０６に記憶されているものと同じ認識情報がバーコードラベルなどで外部からも読取参照できるようになっている。ＰＯＳ装置４０１の情報処理部４０２は、入力された携帯端末２０１の認識情報で登録した商品の全レコードをサーバー装置３０１の注文データベース３２０から読み込む（Ｓ２０２）。表示部４０３に注文商品情報を表示し、顧客に注文内容を確認し、相違なければ、支払い登録処理（Ｓ２０３）にて、注文商品の価格計算を行い、決済結果を出力部４０４からレシート用紙４０５を出力する（Ｓ２０４）。
【００３５】
本実施例では、携帯端末２０１個々の識別を行うために、認識情報をバーコードラベルから読取ることにしたが、さらに、ＢｌｕｅＴｏｏｔｈなどの無線による通信により、携帯端末２０１から、ＰＯＳ装置４０１へ認識情報を送る方法で実現してもいい。
【００３６】
図１３及び図１４はそれぞれ、ビーム光８０１の形状を変える例を示す図である。本例で示すビーム光８０１を、二次元コードやキャラクタなどで形状を変えることも可能であるが、さらに、レーザー光の色や、それらの組合せで表現してもよい。これにより、同一スクリーン上に、複数の異なる携帯端末２０１からのビーム光８０１が指示された場合でも、区別がつくようになっている。
【００３７】
また、複数の携帯端末２０１を処理するために、本処理は一般的に時系列的に処理されていくが、図８の処理を行う際、本処理を、複数の携帯端末２０１毎に、各制御情報を持ち、ソフトウェアのマルチタスキング技法により、リエントラントな仕組みにすることは容易に実現可能である。
【００３８】
また、ＰＯＳ装置４０１に認識情報を入力する手段として、ＰＯＳ装置４０１にカメラを取り付け、商品情報展示端末１０１同様に画像認識させることでも実現できる。
【００３９】
さらに、携帯電話に光指示装置を取り付けることにより、携帯端末２０１の代わりとすることも可能である。
また、スクリーン５０１として、壁、窓ガラス、ショーウィンドウ上に表示することも可能であり、これにより、更に省スペース化が図られる。
【００４０】
【発明の効果】
本発明により、下記効果が得られる。
（１）商品の展示面積を省スペースにし、且つ、サイズなど実物以上の演出効果の高い展示を提供できる。
（２）展示商品に関する詳細情報を顧客自身が確認できる機能を提供できる。
（３）複数の顧客が、同一スクリーン上で操作可能となる。
（４）展示商品の商品情報を顧客自身の操作で予め登録できるようにし、売場カウンタではその登録情報を読み出し、精算できる機能を提供し、精算時間の短縮、また店員による接客工数の低減が可能となる。
【図面の簡単な説明】
【図１】本発明に係る展示販売システムの一実施例を示す図である。
【図２】携帯端末の一例を示す外観図である。
【図３】商品情報展示端末の一例を示す構成図である。
【図４】携帯端末の一例を示す構成図である。
【図５】ＰＯＳ装置の一例を示す構成図である。
【図６】商品マスタの構成例を示す図である。
【図７】注文データベースの構成例を示す図である。
【図８】商品情報展示端末の処理フローの一例を示す図である。
【図９】本発明システムによる展示例を示す図である。
【図１０】本発明システムによる展示例を示す図である。
【図１１】携帯端末処理フローの一例を示す図である。
【図１２】ＰＯＳ装置処理フローの一例を示す図である。
【図１３】ビーム光の形状を変える例を示す図である。
【図１４】ビーム光の形状を変える例を示す図である。
【符号の説明】
１０１　商品情報展示端末
１０２　カメラ
１０３　投影器
２０１　携帯端末
３０１　サーバー装置
３１０　商品マスタ
３２０　注文データベース
４０１　ＰＯＳ装置
５０１　スクリーン
８０１　ビーム光
【図１】
2004062467.tif 000003
【図２】
2004062467.tif 000004
【図３】
2004062467.tif 000005
【図４】
2004062467.tif 000006
【図５】
2004062467.tif 000007
【図６】
2004062467.tif 000008
【図７】
2004062467.tif 000009
【図８】
2004062467.tif 000010
【図９】
2004062467.tif 000011
【図１０】
2004062467.tif 000012
【図１１】
2004062467.tif 000013
【図１２】
2004062467.tif 000014
【図１３】
2004062467.tif 000015
【図１４】
2004062467.tif 000016